(57)【要約】【課題】手作業による加工が可能で色名が触覚によって認識できるシートがあれば、視覚障害者と健常者との色彩認識の差異が解消され、且つ、視覚障害者が健常者の手助けを得ずに、自己の色彩造形表現が可能となる。【解決手段】点字が理解できる人であれば、色面（１）の色名に対応した点字加工（２）が一定の間隔を持って上下左右に連続して施されたシートに触れることで、その色名、及び色面の範囲、色面の形状を認識することが可能になる。本発明を利用することで視覚障害者であっても健常者と同じように、平面、或いは立体における色彩造形物の制作が可能となり、また、色彩を通して視覚障害者と健常者とのコミュニケーションが図られ、更には視覚障害者の視点から見た工業製品のカラーリングやデザインの提案など、視覚障害者の社会参画を促すことに繋がる。本発明の本質は触覚によって色名、及び色面の形状、色面の範囲が認識できることである。【選択図】図１
2015155985.tif 000002
【特許請求の範囲】
【請求項１】
任意の形状全面にその面と同じ色名の点字を上下左右に一定の間隔で連続させることで、視覚障害者が色名の認識、及び色面の形状、色面の範囲が認識できる色面。尚、本発明における色名とは基本色名、系統色名、固有色名の総称である。
【請求項２】
請求項１の色面を利用したシート状の製品。
【請求項３】
請求項１の色面を利用した紙、テープなどの文房具、或いは学習教材。
【請求項４】
請求項１の色面を利用した繊維製品、建装材、壁装材、塗装材。
【請求項５】
請求項１の色面を利用した各素材の表面加工。
【請求項６】
平面、及び立体造形物の表面に請求項１の色面を利用した加工。
【発明の詳細な説明】
【技術分野】
【０００１】
本発明は色面の色名が点字として凹凸加工されたシートである。
【０００２】
本発明は凹凸加工された点字を触ることにより、視覚を利用せずに触覚のみでその色面の色名が認識できるシートである。
【０００３】
本発明は裁断、または組み合わせることによって視覚を利用せずに触覚のみで色彩を利用した造形表現ができるシートである。
【０００４】
本発明は視覚障害者が触覚を使って色彩を利用した平面、立体物、所謂造形物を制作することを可能とするシートである。
【０００５】
本発明は視覚障害者が触覚を使って色彩を利用した平面、立体物、所謂造形物を制作することを学習できるシートである。
【背景技術】
【０００６】
視覚障害者でも「動き・明るさ・色」を認識できるという研究結果が近年発表された。（http://www.nips.ac.jp/contents/release/entry/2012/06/post-217.html）また、人工視覚システムなど、視覚障害者の脳内に視覚を生じさせる研究や開発も進んでいる。（http://www.nidek.co.jp/visual_prosthesis/index.html）
【０００７】
健常者は視覚障害者は色彩を認識することは不可能と考えるが、上述のごとく、視覚障害者の盲視とよばれる現象の研究成果や、脳内に色彩を生じさせる機器の研究開発が進められている。それらの事例から、視覚障害者に色彩の概念を触覚によって伝達することで、色彩の認識が可能であると推測できる。
【０００８】
尚、本願発明に関連する公知技術として、次の特許文献１及び非特許文献１をあげることができる。
【先行技術文献】
【特許文献】
【０００９】
【特許文献１】特開2014 - 010247号公報
【非特許文献】
【００１０】
【非特許文献１】石川県工業試験場「色を測り，知らせる技術」www.irii.jp/infor/2000_1128/topics2_1.htm
【発明の概要】
【発明が解決しようとする課題】
【００１１】
従来の美術用品や美術用具、文房具では視覚障害者が色彩という概念を持ち得ていたとしても、健常者と同じように色彩表現、色彩構成、パターン生成、及び色彩を用いた立体造形表現を学習したり、制作することは難しい。
【００１２】
本発明は視覚障害者が健常者と同じように、或いは健常者の手助けを得ずに、美術分野やデザイン分野において、自己の造形表現や色彩表現を可能とすることに繋がるものである。
【課題を解決するための手段】
【００１３】
無彩色や蛍光色、金属色を含む任意の色面を有するシートに、その色面の色名を表す点字を一定の間隔で上下左右に連続させ敷き詰めることで、視覚障害者でも触覚によってそのシートの色彩が認識できる。尚、本発明における色名とは基本色名、系統色名、固有色名の総称である。
【００１４】
上述の色面を有するシートは工具による裁断や千切られたとしても点字が判読できる大きさであれば、視覚障害者が健常者の手助けを得ずに触覚によって色名が判断でき、それらを組み合わせることで、視覚障害者の意思による平面状の色彩表現や色彩を有する立体造形物の制作を行う事が可能となる。
【発明の効果】
【００１５】
裁断、および千切られた上述の色面を有するシートは、視覚障害者が触覚を使って自由に組み合わせたり、貼り合わせたりする事によって、色彩を意識した模様や絵画、デザイン図案、立体物などの造形表現の学習や制作が可能となる。
【００１６】
上述の色面を有するシートは任意の平面や造形物、構造物等の表面に施すことにより、視覚障害者にも健常者と同じようにそのものの表面に色彩が施されているという情報を伝達することが可能である。
【００１７】
上述の色面を有するシートを利用した工業製品や造形物は、視覚障害者と健常者が同じ色名、及び色面の形状、色面の範囲を共通認識することになり、視覚障害者と健常者とのコミュニケーションツールとして機能する。
【図面の簡単な説明】
【００１８】
【図１】本発明の平面図である。
【図２】本発明を平面で利用した模式図である。
【図３】本発明を立体造形物で利用した外観斜視図である。
【発明を実施するための形態】
【００１９】
以下、本発明の実施の形態を図面に基づき詳細に説明する。
【００２０】
図１〜図３は本発明の形態、および利用法を説明した図である。図１は本発明の平面図、図２は本発明を平面で利用した模式図であり、図３は本発明を利用して制作された立体造形物の外観斜視図である。
【００２１】
図１は無彩色、金属色を含む色面（１）を有するシートの全面に、それを利用する国の言語による一般的な色名を表す点字加工（２）が上下左右に一定の間隔を持って連続して施されている様子を説明したものである。尚、本発明における色名とは基本色名、系統色名、固有色名の総称である。
【００２２】
図２は色名を表す点字加工（５）（６）がなされた色面（３）（４）を有するシートをそのまま、もしくは任意の形状に裁断し、平面上に貼り合わせて制作した図案の模式図である。
【００２３】
図３は色名を表す点字加工（１０）（１１）（１２）がなされた色面（７）（８）（９）を有するシートをそのまま、もしくは立体物の構造、或いは任意の形状に合わせて裁断し、貼り合わせて制作した造形物の外観斜視図である。
【００２４】
点字加工の突起の大きさ、高さ、形状、配置、配列、間隔などはそれを利用する国で定められた一般的な基準に準じるが、触覚によって色名が認識できるのであれば、使用する用途によっては上述の形態が限定される訳ではない。
【００２５】
例えば、シートの形状が菱形や台形、円や楕円、その他の不定形などの場合は、その縁に沿って点字表記をずらして加工する場合や、色面、及び点字の上下左右を示す凹凸加工を色面の任意の箇所に追加で施す場合も本発明の本質に含まれる。また、修飾語を必要とする色名は利用者に判断できる省略語による点字表記とする場合も同様である。
【実施例】
【００２６】
本発明は視覚障害者が健常者と同じ様に色名、及び色面の範囲、色面の形状を認識できるので、視覚障害者が健常者の手助けを得ずに色彩が施された文様、絵画、彫刻など、所謂美術造形作品を制作することを可能とする。
【００２７】
本発明は視覚障害者の視点から見た工業製品のカラーリングの提案、及びデザイン開発の促進に繋がる。
【００２８】
視覚障害者と健常者が同じ色名、及び色面の形状、色面の範囲を共通認識することで、視覚障害者と健常者とのコミュニケーションを促す。
【産業上の利用可能性】
【００２９】
本発明は視覚障害者が健常者と同じ様に平面、及び立体物、所謂造形物に色彩が存在することを理解する為の色面であるので、本発明は紙類、テープ類、繊維製品、建装材、壁装材、塗装材、及び各素材の表面加工などに利用できる。
【符号の説明】
【００３０】
（１）（３）（４）（７）（８）（９）色面
（２）（５）（６）（１０）（１１）（１２）色名を表す点字加工
【図１】
2015155985.tif 000003
【図２】
2015155985.tif 000004
【図３】
2015155985.tif 000005